(57)【要約】      （修正有）【課題】正当な使用者が、モニタパネルなどの表示装置の機能ロック状態を解除する暗証番号（操作パターン）を忘れた場合であっても、解除専用のツールを使用することなく、容易に表示装置の機能ロック状態を解除し、表示画面を次画面に遷移させる。また建設機械の正当な使用者が、始動機能または作業機能のロック状態を解除する暗証番号（操作パターン）を忘れた場合であっても、解除専用のツールを使用することなく、容易に機能ロック状態を解除できるようにする。【解決手段】設定操作パターンが互いに異なるパターンで複数、記憶部１６ａ、１６ｂに設定される。そして入力手段３〜１５によって入力された操作パターンが設定された複数の設定操作パターンのうちのいずれかの設定操作パターンと一致した場合に、表示装置１の表示画面２が次画面に遷移されることが許容され、建設機械の始動機能または作業機能のロック状態が解除される。【選択図】図１
2010180697.tif 000002
【特許請求の範囲】
【請求項１】
第１の操作パターンを設定し、建設機械に設けられた表示装置の表示画面が第１の操作パターン入力画面に遷移した場合に、この第１の操作パターン入力画面上で、入力手段によって操作パターンを入力し、入力した操作パターンが前記第１の設定操作パターンと一致した場合に、建設機械の始動機能または作業機能をロックした状態を解除する建設機械の機能ロック解除装置において、
前記第１の設定操作パターンとは異なるパターンの第２の操作パターンを設定し、
前記入力手段が、特定の操作パターンで操作された場合に、表示画面を、第２の操作パターン入力画面に遷移させ、
前記第２の操作パターン入力画面上で、入力手段によって操作パターンを入力し、入力した操作パターンが前記第２の設定操作パターンと一致した場合に、表示画面を、設定操作パターン再生画面に遷移させ、
前記設定操作パターン再生画面上において、前記第１の設定操作パターンを表示若しくは再設定すること
を特徴とする建設機械の機能ロック解除装置。
【発明の詳細な説明】
【技術分野】
【０００１】
本発明は建設機械の機能ロック解除装置に関する。
【背景技術】
【０００２】
建設機械は非常に高価なものであり盗難を効果的に防止することが必要となる。また建設機械の作業機用操作レバーが、到底操作に熟練していない人間によって誤って操作されてしまうと、作業機が不用意に作動して、危険な状態になる。  このため正当な使用者以外の者によって建設機械が作動されてしまうことを防ぐことが、盗難防止、誤作動防止のために必要となる。
【０００３】
そこで暗証番号入力等の特定の解除操作が実行されないかぎり建設機械の始動機能または作業機能をロックした状態を維持する技術が種々開発されている。
【０００４】
例えば、建設機械の運転室内にテンキー入力装置を設け、このテンキー入力装置に特定の暗証番号を入力しないかぎり建設機械のエンジンを始動させない、つまり建設機械の始動機能をロックした状態を維持する始動機能ロック装置が従来より建設機械に搭載されている。同様にテンキー入力装置に特定の暗証番号を入力しないかぎり油圧ポンプから吐出される圧油を作業機用油圧アクチュエータに供給しない、つまり作業機の作業機能をロックした状態を維持する作業機能ロック装置が建設機械に搭載されている。
【０００５】
しかし、こうした機能ロック装置によれば、正当な使用者が暗証番号を忘れた場合に機能ロック状態を容易に解除できないという問題が生じる。
【０００６】
そこで、特開平１１−７８７８８号公報（特許文献１）には、ロック解除信号を機能ロック装置に入力することでロック状態を解除するハンディターミナルを用意して、このハンディターミナルから機能ロック装置にロック解除信号を入力することで機能ロック状態を解除するという発明が記載されている。この公報記載の発明によれば、正当な使用者が暗証番号を忘れた場合でも、サービスマンを呼び出してサービスマンがハンディターミナルを建設機械に装着しロック解除信号を機能ロック装置に入力すれば機能ロック状態が解除される。
【０００７】
また建設機械の運転室にはモニタパネルが設けられている。モニタパネルは表示装置としての機能と入力装置としての機能を有する。
【０００８】
モニタパネルでは冷却水の水温、燃料量などの建設機械の状態がセンサによって検出され、これら建設機械の状態がモニタパネル上の表示画面に表示される。つまりモニタパネルはモニタ機能を備えている。またモニタパネル上のスイッチを操作することにより建設機械の走行装置や作業装置を制御するコントローラに制御信号が出力され作業モードや走行速度が選択される。またコントローラの内部パラメータを設定したり調整することもできる。つまりモニタパネルは制御機能を有する。
【０００９】
近年のモニタパネルでは、電源が投入されると、つまりキースイッチがオン位置に操作されると、先頭画面に暗証番号を入力する暗証番号入力画面を表示して、この暗証番号入力画面上で暗証番号を入力し、この入力した暗証番号が予め設定しておいた番号と一致しないと、上記モニタ機能および制御機能を機能させない、つまり暗証番号入力画面から次画面に遷移させないようにしている。モニタパネルは上述した機能ロック装置と連動しており、モニタパネルから入力した暗証番号が設定した番号に一致すると、ロック解除信号が出力されるが、モニタパネルから入力した暗証番号が設定番号と不一致であれば、ロック解除信号は出力されない。
【先行技術文献】
【特許文献】
【００１０】
【特許文献１】特開平１１−７８７８８号公報
【発明の概要】
【発明が解決しようとする課題】
【００１１】
しかし上記従来技術によれば、機能ロック状態を解除するためにハンディターミナルという解除専用のツールが必要となる。解除専用ツールを常時携行して個々の建設機械に装着する作業はサービスマンにとって大きな負担になっている。また解除専用ツールの開発、製作、維持に要する費用も大きく、建設機械のメーカ等にとって大きな負担になっている。
【００１２】
本発明はこうした実状に鑑みてなされたものであり、建設機械の正当な使用者が、始動機能または作業機能のロック状態を解除する暗証番号（操作パターン）を忘れた場合であっても、解除専用のツールを使用することなく、容易に機能ロック状態を解除できるようにすることを解決課題とするものである。
【課題を解決するための手段】
【００１３】
そこで、本発明の第１発明では、
第１の操作パターンを設定し、建設機械に設けられた表示装置の表示画面が第１の操作パターン入力画面に遷移した場合に、この第１の操作パターン入力画面上で、入力手段によって操作パターンを入力し、入力した操作パターンが前記第１の設定操作パターンと一致した場合に、建設機械の始動機能または作業機能をロックした状態を解除する建設機械の機能ロック解除装置において、
前記第１の設定操作パターンとは異なるパターンの第２の操作パターンを設定し、
前記入力手段が、特定の操作パターンで操作された場合に、表示画面を、第２の操作パターン入力画面に遷移させ、
前記第２の操作パターン入力画面上で、入力手段によって操作パターンを入力し、入力した操作パターンが前記第２の設定操作パターンと一致した場合に、表示画面を、設定操作パターン再生画面に遷移させ、
前記設定操作パターン再生画面上において、前記第１の設定操作パターンを表示若しくは再設定すること
を特徴とする。
【発明の効果】
【００１４】
図２に示すように、第１の設定操作パターンを入力できなかった場合には（ステップ２００の判断ＮＯ）、入力手段を特定の操作パターンで操作することで（ステップ２０１の判断ＹＥＳ）、表示画面が第２の操作パターン入力画面に遷移する（ステップ２０２）。
【００１５】
第２の操作パターン入力画面上で、入力手段によって操作パターンを入力し（ステップ２０３）、入力した操作パターンが前記第２の設定操作パターンと一致した場合には（ステップ２０３の判断ＹＥＳ）、表示画面が、設定操作パターン再生画面に遷移する（ステップ２０４）。そして、設定操作パターン再生画面上において、第１の設定操作パターンが表示若しくは再設定される（ステップ２０５）。こうして第１の設定操作パターンが表示若しくは再設定されて、再度、第１の操作パターン入力画面上で、入力手段によって操作パターンを入力し（ステップ２００）、入力した操作パターンが第１の設定操作パターンと一致した場合には（ステップ２００の判断ＹＥＳ）、建設機械の始動機能または作業機能をロックした状態が解除される（ステップ２０６、２０７）。
【００１６】
したがって、建設機械の正当な使用者が、始動機能または作業機能のロック状態を解除する暗証番号（操作パターン）を忘れた場合であっても、解除専用のツールを使用することなく、容易に機能ロック状態を解除できる。
【図面の簡単な説明】
【００１７】
【図１】図１は本発明の実施形態を示す図である。
【図２】図２は建設機械の始動機能または作業機能をロックした状態を解除する処理の手順を示すフローチャートである。
【図３】図３は表示画面の表示例を示す図である。
【図４】図４は表示画面の表示例を示す図である。
【図５】図５は表示画面の表示例を示す図である。
【図６】図６は表示画面の表示例を示す図である。
【図７】図７は表示画面の表示例を示す図である。
【図８】図８は表示画面の表示例を示す図である。
【図９】図９は表示画面の表示例を示す図である。
【図１０】図１０は表示画面の表示例を示す図である。
【図１１】図１１は表示画面の表示例を示す図である。
【発明を実施するための形態】
【００１８】
以下本発明の実施形態について図面を参照して説明する。
【００１９】
本実施形態では表示装置として建設機械の運転室に設けたモニタパネルを想定している。図１に示すように表示装置１としてのモニタパネルは表示画面２に表示する機能とスイッチ３〜１５を押動操作して操作内容を入力する機能を有する。建設機械のエンジンの冷却水の水温、燃料量などの建設機械の状態がセンサによって検出され、これら建設機械の状態が表示装置１上の表示画面２に表示される。つまり表示装置１はモニタ機能を備えている。また表示装置１上のスイッチ３〜１５を操作することにより建設機械の走行装置や作業装置を制御するコントローラに対して操作内容に対応する制御信号が出力され作業モードや走行速度が選択される。またコントローラの内部パラメータを設定したり調整することもできる。つまり表示装置１は制御機能を有する。
【００２０】
一方建設機械には、予め記憶されたユーザパスワードを入力しない限りエンジンを始動させない、つまり建設機械の始動機能をロックした状態を維持する始動機能ロック装置が搭載されている。なお始動機能ロック装置の代わりに作業機能ロック装置を搭載してもよい。この場合、予め記憶されたユーザパスワードを入力しない限り油圧ポンプから吐出される圧油を作業機用油圧アクチュエータに供給しない、つまり作業機の作業機能をロックした状態を維持する。ここでユーザパスワードは建設機械の正当な使用者（正当な使用者が許可した者を含む）のみが知り得る特定の操作パターンである。また後述するサービスパスワードは建設機械を点検、整備するサービスマンのみが知り得る特定の操作パターンである。本実施形態ではユーザパスワードおよびサービスパスワードは数字の組合せであるとする。なおユーザパスワードおよびサービスパスワードを文字の組合せとしてもよく、また文字と数字を混合した組合せでもよい。
【００２１】
表示装置１と上述した機能ロック装置とは連動している。表示装置１のスイッチ３〜１５を操作することで入力した操作パターンが記憶したユーザパスワードに一致している場合には、ロック解除信号が機能ロック装置に出力され、始動機能または作業機能のロック状態が解除される。また表示装置１のスイッチ３〜１５を操作することで入力した操作パターンが記憶したユーザパスワードに不一致の場合には、ロック解除信号が機能ロック装置に出力されず、始動機能または作業機能のロック状態が維持される。
【００２２】
実施形態の表示装置１では、電源が投入されると、つまりキースイッチがオン位置に操作されると、表示画面２の先頭画面にユーザパスワードを入力するパスワード入力画面３０が図３に示すように表示される。このパスワード入力画面３０上で操作パターンを入力し、この入力した操作パターンが記憶しておいたパスワードと一致しないと、パスワード入力画面３０から次画面に遷移させない、つまり表示装置１のモニタ機能および制御機能を機能させないようにしている。
【００２３】
以下表示装置１の構成について更に詳述する。
【００２４】
図１に示すように表示装置１は筐体で構成され、大きくは、筐体外側に設けられた表示画面２と、同じく外側に設けられたスイッチ３〜１５と、筐体内部に設けられた記憶部１６ａ、１６ｂと、同じく筐体内部に設けられた判定部１７とから構成されている。
【００２５】
スイッチ３〜１５はスイッチパネル１８上に設けられている。スイッチ３〜１５は押動操作されることで操作内容に応じた信号が図示しないコントローラに入力される。このコントローラは建設機械の走行装置、作業装置を操作内容に応じて制御する。またコントローラは表示装置１の表示画面２の表示を操作内容に応じて制御する。
【００２６】
スイッチ３〜１５のうちスイッチ３〜１２は表示装置１の表示画面２の表示内容に応じて、入力されるデータ内容を異ならせている。表示画面２の表示内容が、数字入力を指示している場合にはスイッチ３〜１２はそれぞれ数字「０」〜「９」のデータを入力するテンキーとして機能する。すなわちスイッチ３を押すと「０」が入力され、スイッチ４を押すと「１」が入力され、スイッチ５を押すと「２」が入力され、スイッチ６を押すと「３」が入力され、スイッチ７を押すと「４」が入力され、スイッチ８を押すと「５」が入力され、スイッチ９を押すと「６」が入力され、スイッチ１０を押すと「７」が入力され、スイッチ１１を押すと「８」が入力され、スイッチ１２を押すと「９」が入力される。
【００２７】
表示画面２の表示内容が、数字入力以外を指示している場合にはスイッチ３〜１２はそれぞれスイッチに図示された文字、イラスト内容に応じたデータを入力するスイッチとして機能する。
【００２８】
またスイッチ１３、１４は表示画面２上の表示内容を選択するカーソルキーである。またスイッチ１５はエンターキーである。
【００２９】
記憶部１６ａには建設機械の正当な使用者のみが知り得るユーザパスワードが記憶されている。なおユーザパスワードは４桁の数字で構成されるものとする。一方記憶部１６ｂにはサービスマンのみが知り得るサービスパスワードが記憶されている。なおサービスパスワードはユーザパスワードと同様に４桁の数字によって構成されておりユーザパスワードの数字の組合せのパターンが異なる。
【００３０】
本実施形態ではユーザパスワードとサービスパスワードとが、別々の記憶部１６ａ、１６ｂに記憶されているので、両方のパスワードの記憶データが同時に消失されることを防ぐことができる。すなわち一方の記憶部１６ａに記憶されたユーザパスワードのデータが消失しても、他のサービスパスワードのデータは他方の記憶部１６ｂに保存されたままである。このためデータ消失時に両方のパスワードのデータを再度設定する必要がなく、消失したユーザパスワードを再設定するだけで済むので再設定作業が容易になる。
【００３１】
なお本実施形態では表示装置１の内部に記憶部１６ａ、１６ｂを設けるようにしているが、表示装置１とは別の装置、例えば建設機械内に設けられたコントローラに記憶部１６ａ、１６ｂを設けるようにしてもよい。
【００３２】
表示画面２は、スイッチ３〜１５の操作に応じて順次、次画面に遷移して表示内容が変化するディスプレイ部であり液晶等によって構成されている。ただし前述したように表示画面２の先頭画面であるパスワード入力画面３０上でパスワードが正しく入力されないと、次画面には遷移しない。
【００３３】
判定部１７は、表示画面２がユーザパスワード入力画面３０に遷移しているときに、スイッチ（テンキー）３〜１２を操作して入力した数字の組合せのパターンと記憶部１６ａに記憶されたユーザパスワードの数字組合せのパターンとが一致しているか否かを判定する。また判定部１７は、表示画面２がユーザパスワード入力画面５０に遷移しているときに、スイッチ（テンキー）３〜１２を操作して入力した数字の組合せのパターンと記憶部１６ｂに記憶されたサービスパスワードの数字組合せのパターンとが一致しているか否かを判定する。
【００３４】
次に図１に示す表示装置１の動作について、図２から図１０を併せ参照して説明する。図２は処理の手順を示すフローチャートであり、図３から図１０は表示画面２が遷移する様子を示す図である。
【００３５】
すなわち建設機械の電源が投入されると、つまりキースイッチがオン位置に操作されると、表示画面２の先頭画面には図３に示すようにパスワード入力画面３０が表示される。パスワード入力画面３０上にはユーザパスワードの４桁に対応して点滅部３０ａ、３０ｂ、３０ｃ、３０ｄが表示されている。まずユーザパスワードの最上位の桁に対応する点滅部３０ａが点滅して最上位の桁の数字の入力を促す。表示画面２がユーザパスワード入力画面３０に遷移しているときスイッチ３〜１２はテンキーとして機能する。
【００３６】
そこで使用者がスイッチ３〜１２を押動操作して、４桁の数字の最上位の桁の数字を入力する。以後スイッチ３〜１２を押動操作する毎に点滅箇所が点滅部３０ｂ、３０ｃ、３０ｄへと順次移動して対応する桁の数字の入力を促す。点滅箇所が点滅部３０ｂ、３０ｃ、３０ｄへと順次移動するに応じて使用者はスイッチ３〜１２を押動操作して、４桁の数字の最上位の次の桁、更に次の桁、最下位の桁の数字を順次入力する。こうして４桁の数字の組合せのパターンが入力される。但し、実施形態では点滅部３０ａ、３０ｂ、３０ｃ、３０ｄには使用者が入力した数字は表示されないものとする。もちろん入力した数字を表示させる実施も可能である（ステップ２００）。
【００３７】
この結果、判定部１７では、スイッチ（テンキー）３〜１２を操作して入力した数字の組合せのパターンと記憶部１６ａに記憶されているユーザパスワードの数字組合せのパターンとが一致しているか否かが判断され、両者が一致している場合には（ステップ２００の判断ＹＥＳ）、パスワード入力画面３０から図１０に示す次画面であるモニタ用画面１００、１０１、１０２に遷移することを許容する（ステップ２０６）。さらに、ロック解除信号が機能ロック装置に出力され、始動機能または作業機能のロック状態が解除される（ステップ２０７）。エンジン始動前であれば図１０（ａ）に示すモニタ用先頭画面１００から図１０（ｂ）に示すモニタ用始動前画面１０１に遷移する。エンジンが始動されると図１０（ｂ）に示すモニタ用始動前画面１０１から図１０（ｂ）に示すモニタ用始動後画面１０２に遷移する。これにより表示装置１の表示画面２上で建設機械の状態をモニタすることができる。なおスイッチ２〜１５を操作することにより表示画面２を図示しない制御用画面に遷移させることができ、この制御用画面上で作業モードや走行速度を選択して建設機械の走行装置や作業装置を制御したり、コントローラの内部パラメータを設定したり調整することができる。
【００３８】
一方、判定部１７で、スイッチ（テンキー）３〜１２を操作して入力した数字の組合せのパターンと記憶部１６ａに記憶されているユーザパスワードの数字組せのパターンとが一致していないと判断された場合には（ステップ２００の判断ＮＯ）、パスワード入力画面３０上の点滅箇所が再度ユーザパスワードの最上位の桁に対応する点滅部３０ａに移行して、正しいユーザパスワードの入力を促すとともに、表示画面２は先頭画面であるパスワード入力画面３０の状態を維持する。すなわち正当な使用者がユーザパスワードを忘れたか正当使用者以外の者がユーザパスワードを入力しようとしているときには、次画面であるモニタ用画面１００、１０１、１０２に遷移することを許容しない。また制御用画面に遷移することを許容しない。このため表示装置１の機能をロックした状態を維持することができる。またロック解除信号が出力されないので始動機能または作業機能のロック状態が維持される。
【００３９】
正当な使用者がユーザパスワードを忘れた場合のみ、つぎのような処理にてユーザパスワードを再生することができる。
【００４０】
すなわちユーザパスワードが正しく入力されないことが判明した時点で正当な使用者はサービスマンを呼び出す。サービスマンはキースイッチ３〜１２をサービスマンのみが知り得る特定のパターンで操作する。この特定の操作パターンは、たとえば特定のキースイッチを特定の回数だけ押し続ける操作パターンや、複数の特定のキースイッチを同時に押す操作パターンなどである。キースイッチ３〜１２が特定の操作パターンで操作されると（ステップ２０１の判断ＹＥＳ）、図３のユーザパスワード入力画面３０から図４に示すサービスメニュー画面４０に遷移される。サービスメニュー画面４０上にはサービスマンのみが行うことができるサービスメニュー「００」〜「０９」が表示される。なおサービスメニュー画面４０はスクロールすることができる（ステップ２０２）。
【００４１】
同図４に示すようにサービスメニュー画面４０の各サービスメニューの中には「０９  パスワード設定」が表示されている。表示画面２がサービスメニュー画面４０に遷移しているときスイッチ３〜１２はテンキーとして機能する。そこでキースイッチ３、１２が順次押されると、「０」、「９」が入力され、サービスメニュー画面４０上の「０９  パスワード設定」が選択される。サービスメニュー画面４０上で「０９  パスワード設定」が選択され、選択確定を示すエンターキー１５が押し操作されると（ステップ２０２ｂの判断ＹＥＳ）、図４のサービスメニュー画面４０から図５に示すサービスパスワード入力画面５０に遷移される。
【００４２】
サービスパスワード入力画面５０上にはサービスパスワードの４桁に対応して点滅部５０ａ、５０ｂ、５０ｃ、５０ｄが表示されている。まずサービスパスワードの最上位の桁に対応する点滅部５０ａが点滅して最上位の桁の数字の入力を促す。表示画面２がサービスパスワード入力画面５０に遷移しているときスイッチ３〜１２はテンキーとして機能する。
【００４３】
そこでサービスマンがスイッチ３〜１２を押動操作して、４桁の数字の最上位の桁の数字を入力する。以後スイッチ３〜１２を押動操作する毎に点滅箇所が点滅部５０ｂ、５０ｃ、５０ｄへと順次移動して対応する桁の数字の入力を促す。点滅箇所が点滅部５０ｂ、５０ｃ、５０ｄへと順次移動するに応じてサービスマンはスイッチ３〜１２を押動操作して、４桁の数字の最上位の次の桁、更に次の桁、最下位の桁の数字を入力する。こうして４桁の数字の組合せのパターンが入力される。但し、実施形態では点滅部５０ａ、５０ｂ、５０ｃ、５０ｄにはサービスマンが入力した数字は表示されないものとする。もちろん入力した数字を表示させる実施も可能である。点滅部５０ｄに対応する最下位の桁の数字が入力されると、入力が確定したことを促すべくＥＮＴ表示部５０ｅが点滅される。そこでこの点滅指示にしたがいエンターキー１５が押されると、つぎに判定部１７で、スイッチ（テンキー）３〜１２を操作して入力した数字の組合せのパターンと記憶部１６ｂに記憶されているサービスパスワードの数字組合せのパターンとが一致しているか否かが判断される（ステップ２０３）。
【００４４】
この結果、入力した数字の組合せのパターンと記憶部１６ｂに記憶されているサービスパスワードの数字組合せのパターンとが一致している場合には（ステップ２０３の判断ＹＥＳ）、図５のサービスパスワード入力画面５０から図６に示すパスワード設定選択メニュー画面６０に遷移する（ステップ２０４）。
【００４５】
しかし入力した数字の組合せのパターンと記憶部１６ｂに記憶されているサービスパスワードの数字組合せのパターンとが不一致の場合か、４桁の数字入力の途中で誤ってエンターキー１５が押された場合には（ステップ２０３の判断ＮＯ）、サービスパスワード入力画面５０上の点滅箇所が再度サービスパスワードの最上位の桁に対応する点滅部５０ａに移行して、正しいサービスパスワードの入力を促すとともに、表示画面２は再度サービスパスワード入力画面５０の状態を維持する。すなわちサービスマン以外の者がサービスパスワードを入力しようとしているときには、次画面であるパスワード設定選択メニュー画面６０に遷移することを許容しない。
【００４６】
図６に示すようにパスワード設定選択メニュー画面６０上にはユーザパスワードを再生（現在のユーザパスワードを表示、ユーザパスワードを変更）したり、パスワード機能をオンオフしたり、サービスパスワードを変更したりするメニューが表示されている。具体的には「００  戻る」、「０１  パスワード機能ＯＮ／ＯＦＦ」、「０２  パスワード変更」、「０３  サービスパスワード変更」、「０４  現在のパスワード」の各メニューが表示されている。ここで「パスワード機能」をオンするとは、ユーザパスワードを正しく入力することを条件として表示画面２がモニタ用画面１００、１０１、１０２に遷移することを許容し、ロック解除信号を出力することを意味する。また「パスワード機能」をオフするとは、ユーザパスワードを入力の有無を問わず表示画面２がモニタ用画面１００、１０１、１０２に遷移することを許容し、ロック解除信号を出力することを意味する。
【００４７】
表示画面２がパスワード設定選択メニュー画面６０に遷移しているときスイッチ３〜１２はテンキーとして機能し、テンキー３〜１２を操作して入力した数字に対応するメニューが選択される。またカーソルキー１３、１４は押し方向、回数に応じてメニューを選択するスイッチとして機能する。スイッチ３〜１４によって選択したメニューの表示箇所は他の表示箇所と識別できるように表示色が反転する。
【００４８】
パスワード設定選択メニュー画面６０に遷移した初期状態では「００  戻る」が選択されておりこの表示箇所が図６で図示するように反転表示されている。パスワード設定選択メニュー画面６０上の選択内容表示部６０ｃには現在選択されているメニューに対応する数字（たとえば「戻る」というメニューが選択されている場合には「００」）が表示される。
【００４９】
そこでサービスマンがテンキー３〜１２あるいはカーソルキー１３、１４を押動操作すると、操作内容に応じて「００  戻る」、「０１  パスワード機能ＯＮ／ＯＦＦ」、「０２  パスワード変更」、「０３  サービスパスワード変更」、「０４  現在のパスワード」のいずれかが選択される。
【００５０】
この結果「０１  パスワード機能ＯＮ／ＯＦＦ」が選択されると、選択された「０１  パスワード機能ＯＮ／ＯＦＦ」の表示箇所の表示色が反転するとともに、ＥＮＴ表示部６０ａが点滅され、選択確定の入力を促す。そこでサービスマンがエンターキー１５を押すとＯＫ表示部６０ｂが点灯して、表示画面２は図７に示すパスワード機能ＯＮ/ＯＦＦ画面７０に遷移される。
【００５１】
パスワード機能ＯＮ／ＯＦＦ画面７０上には、「００  戻る」、「０１  パスワード機能  ＯＮ」、「０２  パスワード機能  ＯＦＦ」の各メニューが表示されている。ここでテンキー３〜１２、カーソルキー１３、１４、エンターキー１５の機能はパスワード設定選択メニュー画面６０上における機能と同じでありメニューを選択し確定することができる。またパスワード機能ＯＮ／ＯＦＦ画面７０上のＥＮＴ表示部７０ａ、ＯＫ表示部７０ｂ、選択内容表示部７０ｃの機能は、パスワード設定選択メニュー画面６０上におけるＥＮＴ表示部６０ａ、ＯＫ表示部６０ｂ、選択内容表示部６０ｃの機能と同じである。
【００５２】
パスワード機能ＯＮ／ＯＦＦ画面７０に遷移した初期状態では「００  戻る」が選択されておりこの表示箇所が反転表示されている。
【００５３】
そこでサービスマンがテンキー３〜１２あるいはカーソルキー１３、１４を押動操作すると、操作内容に応じて「００  戻る」、「０１  パスワード機能  ＯＮ」、「０２  パスワード機能  ＯＦＦ」のいずれかが選択される。
【００５４】
この結果「０２  パスワード機能ＯＦＦ」が選択されると、図７に図示するように選択された「０２  パスワード機能ＯＦＦ」の表示箇所の表示色が反転するとともに、ＥＮＴ表示部７０ａが点滅され、選択確定の入力を促す。そこでサービスマンがエンターキー１５を押すとＯＫ表示部７０ｂが点灯し表示画面２は図６に示すパスワード設定選択メニュー画面６０に戻る。パスワード設定設定選択メニュー画面６０で「００  戻る」が選択され選択が確定されると、更に図４に示すサービスメニュー画面４０に戻る。
【００５５】
サービスメニュー画面４０で「００  戻る」が選択され選択が確定されると、表示画面２は図１０（ａ）に示すモニタ用先頭画面１００に遷移する。このためパスワード機能がオフされていればユーザパスワードの入力の有無にかかわらずモニタ用画面１００、１０１、１０２に遷移することが許容され、ロック解除信号が出力されて始動機能または作業機能のロック状態が解除される。
【００５６】
パスワード機能ＯＮ／ＯＦＦ画面７０で「０１  パスワード機能  ＯＮ」が選択され選択が確定されると、パスワード機能をオンした状態を維持して表示画面２は図６に示すパスワード設定選択メニュー画面６０に戻る。パスワード設定設定選択メニュー画面６０で「００  戻る」が選択され選択が確定されると、更に図４に示すサービスメニュー画面４０に戻る。サービスメニュー画面４０で「００  戻る」が選択され選択が確定されると、表示画面２は図３に示すユーザパスワード入力画面３０に遷移する。このためパスワード機能がオンされていればユーザパスワードが正しく入力されない限りモニタ用画面１００、１０１、１０２に遷移せず、ロック解除信号が出力されて始動機能または作業機能のロック状態は解除されない。
【００５７】
なおパスワード機能ＯＮ／ＯＦＦ画面７０で「００  戻る」が選択され選択が確定されると、表示画面２は図６に示すパスワード設定選択メニュー画面６０に戻る。
【００５８】
パスワード設定選択メニュー画面６０上で「０２  パスワード変更」が選択されると、選択された「０２  パスワード変更」の表示箇所の表示色が反転するとともに、ＥＮＴ表示部６０ａが点滅され、選択確定の入力を促す。そこでサービスマンがエンターキー１５を押すとＯＫ表示部６０ｂが点灯して、表示画面２は図８に示すパスワード変更画面８０に遷移される。
【００５９】
パスワード変更画面８０上には、「戻る」、「入力」の各メニュー、ユーザパスワードの各桁に対応する点滅部８０ｃ、８０ｄ、８０ｅ、８０ｆ、ＥＮＴ表示部８０ａ、ＯＫ表示部８０ｂが表示されている。ここでテンキー３〜１２はユーザパスワードの各桁の数字を入力するテンキーとして機能する。またカーソルキー１３、１４は「戻る」、「入力」の各メニューを選択するスイッチとして機能する。またエンターキー１５は入力内容を確定するスイッチとして機能する。
【００６０】
ユーザパスワード変更画面８０上で「入力」が選択されるとユーザパスワードの最上位の桁に対応する点滅部８０ｃが点滅して最上位の桁の数字の入力を促す。ただしこの状態では現在、記憶部１６ａに記憶されているユーザパスワードの４桁の数字を点滅部８０ｃ、８０ｄ、８０ｅ、８０ｆに表示させないものとする。
【００６１】
そこでサービスマンがテンキー３〜１２を押動操作して、４桁の数字の最上位の桁の数字を入力する。以後テンキー３〜１２を押動操作する毎に点滅箇所が点滅部８０ｄ、８０ｅ、８０ｆへと順次移動して対応する桁の数字の入力を促す。点滅箇所が点滅部８０ｄ、８０ｅ、８０ｆへと順次移動するに応じてサービスマンはスイッチ３〜１２を押動操作して、４桁の数字の最上位の次の桁、更に次の桁、最下位の桁の数字を入力する。こうして４桁の数字の組合せのパターンが入力される。但し、実施形態では数字が入力される毎に点滅部８０ｃ、８０ｄ、８０ｅ、８０ｆには入力した数字が順次表示されるものとする。もちろん入力した数字を表示させない実施も可能である。点滅部８０ｆに対応する最下位の桁の数字が入力されると、入力が確定したことを促すべくＥＮＴ表示部８０ａが点滅される。そこでこの点滅指示にしたがいエンターキー１５が押されると、ＯＫ表示部８０ｂが点灯する。この結果、記憶部１６ａの記憶内容がこのユーザパスワード変更画面８０で入力されたユーザパスワードに変更される。そして表示画面２は図６に示すパスワード設定選択メニュー画面６０に戻る。なおユーザパスワード変更画面８０で「戻る」が選択されると、表示画面２は図６に示すパスワード設定選択メニュー画面６０に戻る。またユーザパスワードの４桁の数字を入力し終わっていない状態で「戻る」が選択されると、４桁の数字を最初から入力すべく、最上位の桁に対応する点滅部８０ｃが点滅する状態に戻る。
【００６２】
パスワード設定選択メニュー画面６０上で「０３  サービスパスワード変更」が選択されると、選択された「０３  サービスパスワード変更」の表示箇所の表示色が反転するとともに、ＥＮＴ表示部６０ａが点滅され、選択確定の入力を促す。そこでサービスマンがエンターキー１５を押すとＯＫ表示部６０ｂが点灯して、表示画面２は図９に示すサービスパスワード変更画面９０に遷移される。
【００６３】
サービスパスワード変更画面９０上には、「戻る」、「入力」の各メニュー、サービスパスワードの各桁に対応する点滅部９０ｃ、９０ｄ、９０ｅ、９０ｆ、ＥＮＴ表示部９０ａ、ＯＫ表示部９０ｂが表示されている。ここでテンキー３〜１２はサービスパスワードの各桁の数字を入力するテンキーとして機能する。またカーソルキー１３、１４は「戻る」、「入力」の各メニューを選択するスイッチとして機能する。またエンターキー１５は入力内容を確定するスイッチとして機能する。
【００６４】
サービスパスワード変更画面９０上で「入力」が選択されるとサービスパスワードの最上位の桁に対応する点滅部９０ｃが点滅して最上位の桁の数字の入力を促す。ただしこの状態では現在、記憶部１６ｂに記憶されているサービスパスワードの４桁の数字を点滅部９０ｃ、９０ｄ、９０ｅ、９０ｆに表示させないものとする。
【００６５】
そこでサービスマンがテンキー３〜１２を押動操作して、４桁の数字の最上位の桁の数字を入力する。以後テンキー３〜１２を押動操作する毎に点滅箇所が点滅部９０ｄ、９０ｅ、９０ｆへと順次移動して対応する桁の数字の入力を促す。点滅箇所が点滅部９０ｄ、９０ｅ、９０ｆへと順次移動するに応じてサービスマンはスイッチ３〜１２を押動操作して、４桁の数字の最上位の次の桁、更に次の桁、最下位の桁の数字を入力する。こうして４桁の数字の組合せのパターンが入力される。但し、実施形態では数字が入力される毎に点滅部９０ｃ、９０ｄ、９０ｅ、９０ｆには入力した数字が順次表示されるものとする。もちろん入力した数字を表示させない実施も可能である。点滅部９０ｆに対応する最下位の桁の数字が入力されると、入力が確定したことを促すべくＥＮＴ表示部９０ａが点滅される。そこでこの点滅指示にしたがいエンターキー１５が押されると、ＯＫ表示部９０ｂが点灯する。この結果、記憶部１６ｂの記憶内容がこのサービスパスワード変更画面９０で入力されたサービスパスワードに変更される。そして表示画面２は図６に示すパスワード設定選択メニュー画面６０に戻る。なおサービスパスワード変更画面９０で「戻る」が選択されると、表示画面２は図６に示すパスワード設定選択メニュー画面６０に戻る。またサービスパスワードの４桁の数字を入力し終わっていない状態で「戻る」が選択されると、４桁の数字を最初から入力すべく、最上位の桁に対応する点滅部９０ｃが点滅する状態に戻る。
【００６６】
パスワード設定選択メニュー画面６０上で「０４  現在のパスワード」が選択されると、選択された「０４  現在のパスワード」の表示箇所の表示色が反転するとともに、ＥＮＴ表示部６０ａが点滅され、選択確定の入力を促す。そこでサービスマンがエンターキー１５を押すとＯＫ表示部６０ｂが点灯して、表示画面２は図１１に示す現在パスワード画面１１０に遷移される。
【００６７】
現在パスワード画面１１０には、記憶部１６ａに現在記憶されているユーザパスワードの４桁の数字が表示される。４桁の数字の確認終了を促すべくＥＮＴ表示部１１０ａが点滅される。そこでこの点滅指示にしたがいエンターキー１５が押されると、表示画面２は図６に示すパスワード設定選択メニュー画面６０に戻る。
【００６８】
以上のようにして現在のユーザパスワードが表示されたり変更されたりすると、使用者は記憶部１６ａに記憶されているユーザパスワードを知り得る（ステップ２０４）。そこで画面上で「戻る」を選択することによって表示画面２は図６に示すパスワード設定選択メニュー画面６０に戻る。更にパスワード設定設定選択メニュー画面６０で「００  戻る」を選択すると、図４に示すサービスメニュー画面４０に戻る。さらにサービスメニュー画面４０で「００  戻る」を選択すると、表示画面２は図３に示すユーザパスワード入力画面３０に遷移する。
【００６９】
ここで使用者は記憶部１６ａに記憶されているユーザパスワードを知り得ているので、ユーザパスワード入力画面３０上でユーザパスワードを正しく入力することができる。この結果、表示画面２を次画面であるモニタ用画面１００、１０１、１０２に遷移させることができ、ロック解除信号を出力させて始動機能または作業機能のロック状態を解除することができる（ステップ２００の判断ＹＥＳ、ステップ２０６、２０７）。  
以上のように本実施形態によれば正当な使用者がユーザパスワードを忘れた場合であっても、サービスパスワードさえ入力できればユーザパスワードを表示したり変更したりして再生することができる。このため従来のようにサービスマンを呼び出し解除専用ツールを用いることなく表示画面２を次画面であるモニタ用画面１００、１０１、１０２に遷移させて、表示装置１の機能ロック状態を容易に解除することができるとともに建設機械の始動機能または作業機能のロック状態を容易に解除することができる。
【００７０】
なお本実施形態ではユーザパスワードを再生する条件としてサービスパスワードの入力を条件としている。しかしユーザパスワードを異なるパターンで２種類、第１、第２のユーザパスワードとして用意しておき、一方の第１のユーザパスワードを再生する条件として他方の第２のユーザパスワードの入力を条件とする実施も可能である。すなわち図２におけるステップ２００の「ユーザパスワード入力」を「第１のユーザパスワード入力」に置換し、ステップ２０３の「サービスパスワード入力」を「第２のユーザパスワード入力」に置換すればよい。この実施形態によれば建設機械の使用者が第１のユーザパスワード、第２のユーザパスワードのうち少なくともいずれか一方を記憶していれば、サービスマンを呼び出すまでもなく表示装置１の機能ロック状態を容易に解除することができるとともに建設機械の始動機能または作業機能のロック状態を容易に解除することができる。さらにユーザパスワードを３以上設定、記憶しておく実施も可能である。
【００７１】
なお本実施形態ではスイッチ３〜１２の押動操作してユーザパスワード、サービスパスワードを入力しているが、これに限定されることなく、建設機械に既存する作業機用操作レバー、エンジン回転数設定ダイヤル、アクセルペダル、ブレーキペダル等の各種入力手段を特定の操作パターンで操作することによってユーザパスワード、サービスパスワードを入力してもよい。
【００７２】
また本実施形態ではユーザパスワードおよびサービスパスワードを入力する入力画面において、ユーザパスワードおよびサービスパスワードの桁に対応する点滅部の点滅箇所によって入力が終了した桁を確認できるようにしているが、ユーザパスワードおよびサービスパスワードの桁のうち入力が終了した桁に対応してアスタリスク「＊」を表示して、このアスタリスク「＊」の位置によって入力が終了した桁を確認できるようにしてもよい。
【符号の説明】
【００７３】
１…表示装置、２…表示画面、３〜１５…スイッチ、１６ａ、１６ｂ…記憶部、１７…判定部
【図１】
2010180697.tif 000003
【図２】
2010180697.tif 000004
【図３】
2010180697.tif 000005
【図４】
2010180697.tif 000006
【図５】
2010180697.tif 000007
【図６】
2010180697.tif 000008
【図７】
2010180697.tif 000009
【図８】
2010180697.tif 000010
【図９】
2010180697.tif 000011
【図１０】
2010180697.tif 000012
【図１１】
2010180697.tif 000013